(57)【要約】  蓄電装置は、上下方向に導電板を介して配列された複数の蓄電ユニット（５０２）を備え、複数の蓄電ユニット（５０２）は、それぞれ、セパレータを介して積層された複数のバイポーラ電極を含む積層体と、積層体の隣接する電極間に形成される収容空間をシールするように当該積層体の周囲に設けられたシール部（５３０）と、を有しており、複数の蓄電ユニット（５０２）の少なくとも１つには、シール部（５３０）の外周面に庇部（５４４）が設けられており、庇部（５４４）は、シール部（５３０）の外周面から蓄電ユニット（５０２）の外方に延びるとともにシール部（５３０）の外周面から離れるにつれて下方に向けて傾斜する傾斜部分（５５０）と、傾斜部分（５５０）の下端部に形成された頂部（５５２）とを含む。
2020138110.tif 000002
【特許請求の範囲】
【請求項１】
上下方向に導電板を介して配列された複数の蓄電ユニットを備え、
前記複数の蓄電ユニットは、それぞれ、セパレータを介して積層された複数のバイポーラ電極を含む積層体と、前記積層体の隣接する電極間に形成される収容空間をシールするように当該積層体の周囲に設けられたシール部と、を有しており、
前記複数の蓄電ユニットの少なくとも１つには、前記シール部の外周面に庇部が設けられており、
前記庇部は、前記シール部の外周面から前記蓄電ユニットの外方に延びるとともに前記シール部の外周面から離れるにつれて下方に向けて傾斜する傾斜部分と、前記傾斜部分の下端部に形成された頂部とを含む、蓄電装置。
【請求項２】
前記庇部は、前記傾斜部分の下端部に接続され、当該下端部から下方に向かうように形成された垂下部分を含み、
前記垂下部分が水平面となす角度は、前記傾斜部分が水平面となす角度よりも大きく、
前記頂部は、前記傾斜部分および前記垂下部分の接続部に形成される、請求項１に記載の蓄電装置。
【請求項３】
前記庇部は、前記蓄電ユニットの周面に沿って延びるように形成されており、
前記庇部は、前記傾斜部分の上面と前記シール部の外周面とを接続するように当該上面から上方に突出するように形成された補強リブを含む、請求項１または請求項２に記載の蓄電装置。
【請求項４】
上下方向に配列する複数の蓄電ユニットと、
前記蓄電ユニットの外周に設けられ、上下方向に配列する複数のシール部材と、
を備え、
前記シール部材の外周面には、上方から下方に向かうにつれて、前記蓄電ユニット側に向かうように形成された傾斜部分が形成された、バイポーラ電池。
【発明の詳細な説明】
【技術分野】
【０００１】
本開示は、バイポーラ電池および蓄電装置に関する。
【背景技術】
【０００２】
従来からバイポーラ電池について各種提案されている。たとえば、特開２０１８−２８９７７号公報に記載されたバイポーラ電池は、上下方向に配列する複数のバイポーラ電極板と、複数のセパレータと、複数のシール部材と、拘束具とを備える。【０００３】
バイポーラ電極板は、金属板と、金属板の一方の主面に形成された正極と、金属板の他方の主面に形成され負極とを含む。なお、金属板の一方の主面において、金属板の外周側に位置する部分には、正極が形成されておらず、正極から露出している。同様に、金属板の他方の主面において、金属板の外周側に位置する部分には、負極が形成されておらず、負極から露出している。【０００４】
セパレータは、上下方向に配列するバイポーラ電極板の間に配置されている。具体的には、上下方向に隣り合う一方のバイポーラ電極板の正極と、他方のバイポーラ電極板の負極との間に配置されている。【０００５】
シール部材は、上下方向に隣り合う金属板の間に配置されており、各金属板の外周に沿って環状に形成されている。【０００６】
そして、上下に隣り合う金属板と、環状に延びるシール部材とによって、単位電池を収容する収容空間が形成されている。なお、単位電池は、正極と、セパレータと、負極とによって形成されており、各単位電池は、金属板によって直列に接続されている。この収容空間内には、電解液も収容されている。
【先行技術文献】
【特許文献】
【０００７】
【特許文献１】特開２０１８−２８９７７号公報
【発明の概要】
【発明が解決しようとする課題】
【０００８】
上記のように構成されたバイポーラ電池において、バイポーラ電池内を冷却するために、冷却通路が内部に形成された冷却板をバイポーラ電池内に複数配置する場合がある。【０００９】
このバイポーラ電池は、上下方向に配列する複数の蓄電ユニットと、蓄電ユニットの外周に設けられたシール部材と、各蓄電ユニット間に設けられた冷却板とを含む。【００１０】
蓄電ユニット内には、少なくとも１つまたは複数の単位電池が設けられており、各単位電池は、直列に接続されている。【００１１】
シール部材は、蓄電ユニットの外周面を覆うように設けられている。そして、上下方向に隣り合うシール部材の間には、通気口が形成されている。そして、冷却板には、たとえば、空気が流れる複数の通気通路が形成されており、シール部材間の通気口を通して、外部の空気が冷却板内に入り込む。【００１２】
この冷却板内を空気が流れることで、各蓄電ユニットを冷却することができる。また、冷却板は、金属など導電材料によって形成されており、上下に隣り合う蓄電ユニットを電気的に接続している。【００１３】
このように構成されたバイポーラ電池において、周囲温度の変動によって、バイポーラ電池の表面に水滴などが付着する場合がある。【００１４】
この際、冷却板に付着した水滴がシール部材の表面を流れ、他の冷却板に接触することで、水と、各冷却板とを通して、２つの蓄電ユニット同士が電気的に接続されるおそれがある。【００１５】
本開示は、上記のような課題に鑑みてなされたものであって、その目的は、バイポーラ電池の表面に付着する水滴などによって各種不具合が生じることを抑制することができるバイポーラ電池を提供することである。
【課題を解決するための手段】
【００１６】
蓄電装置は、上下方向に導電板を介して配列された複数の蓄電ユニットを備え、複数の蓄電ユニットは、それぞれ、セパレータを介して積層された複数のバイポーラ電極を含む積層体と、積層体の隣接する電極間に形成される収容空間をシールするように当該積層体の周囲に設けられたシール部と、を有しており、複数の蓄電ユニットの少なくとも１つには、シール部の外周面に庇部が設けられており、庇部は、シール部の外周面から蓄電ユニットの外方に延びるとともにシール部の外周面から離れるにつれて下方に向けて傾斜する傾斜部分と、傾斜部分の下端部に形成された頂部とを含む。【００１７】
上記庇部は、傾斜部分に下端部に接続され、下方に向かうように形成された垂下部分を含み、垂下部分が水平面となす角度は、傾斜部分が水平面となす角度よりも大きく、頂部は、傾斜部分および垂下部分の接続部に形成される。【００１８】
上記庇部は、蓄電ユニットの周面に沿って延びるように形成されており、庇部は、傾斜部分の上面とシール部の外周面とを接続するように当該上面から上方に突出するように形成された補強リブを含む。【００１９】
バイポーラ電池は、上下方向に配列する複数の蓄電ユニットと、蓄電ユニットの外周に設けられ、上下方向に配列する複数のシール部材と、を備え、シール部材の外周面には、上方から下方に向かうにつれて、前記蓄電ユニット側に向かうように形成された傾斜部分が形成されている。
【発明の効果】
【００２０】
本開示に係るバイポーラ電池および蓄電装置によれば、バイポーラ電池および蓄電装置の表面に付着する水滴などによって各種不具合が生じることを抑制することができる。
【図面の簡単な説明】
【００２１】
【図１】組電池１およびその周囲の構成を示す斜視図である。
【図２】バイポーラ電池３を示す分解斜視図である。
【図３】蓄電スタック２５を示す分解斜視図である。
【図４】蓄電スタック２５を示す側面図である。
【図５】蓄電ユニット５７および冷却板５８を示す斜視図である。
【図６】蓄電ユニット５７および枠体７６を示す断面図であり、枠体７６の薄肉部５２側における断面図である。
【図７】冷却板５８を示す分解斜視図である。
【図８】冷却板５８を示す正面図である。
【図９】蓄電スタック２５の一部を示す断面図であり、幅方向Ｗに延びる方向における断面における断面図である。
【図１０】長手方向Ｌにおける断面図である。
【図１１】組電池１を示す平断面図である。
【図１２】蓄電スタック２５の第１変形例に係る蓄電スタック２５Ａを示す断面図である。
【図１３】第２変形例に係る蓄電スタック２５Ｂを示す断面図である。
【図１４】第３変形例に係る蓄電スタック２５Ｃを示す断面図である。
【図１５】第４変形例に係る２５Ｄを示す断面図である。
【図１６】第５変形例を示す断面図である。
【図１７】第６変形例に係る蓄電スタック２５Ｅに設けられた枠体７６Ｅおよび蓄電ユニット５７Ｅを示す斜視図である。
【図１８】圧力弁５９Ａ，５９Ｂを示す斜視図である。
【図１９】図１９は、圧力弁５９Ａ，５９Ｂを示す分解斜視図である。
【図２０】図１０に示すＸＸ−ＸＸ線における断面図である。
【図２１】蓄電装置５００を模式的に示す分解斜視図である。
【図２２】蓄電ユニット５０２を示す斜視図である。
【図２３】庇５４４の一部およびその周囲の構成を示す斜視図である。
【図２４】庇５４４を示す断面図である。
【図２５】蓄電装置５００の一部を示す断面図である。
【発明を実施するための形態】
【００２２】
図１から図２５を用いて、本実施の形態に係るバイポーラ電池について説明する。図１から図２５に示す構成のうち、同一または実質的に同一の構成については、同一の符号を付して重複した説明を省略する。なお、実施の形態に示す構成において、請求項に記載された構成に対応する構成には、括弧書きで請求項の構成を併記する場合がある。
【００２３】
（実施の形態１）
図１から図２０を用いて、本実施の形態１に係る蓄電装置について説明する。図１から図２０に示す構成のうち、同一または実質的に同一の構成については、同一の符号を付して重複した説明を省略する。なお、実施の形態に示す構成において、請求項に記載された構成に対応する構成には、括弧書きで請求項の構成を併記する場合がある。
【００２４】
図１は、組電池１およびその周囲の構成を示す斜視図である。本実施の形態に係る組電池１は、車両のフロアパネル１００の上面に設けられている。
【００２５】
組電池１は、ベース板２と、バイポーラ電池３と、送風機４と、冷却ダクト５と、ジャンクションボックス６と、監視ユニット７とを備える。
【００２６】
ベース板２は、フロアパネル１００の上面に固定されている。バイポーラ電池３は、略直方体形状に形成されている。バイポーラ電池３は、下面１０と、上面１１と、端側面１２および端側面１３と、長側面１４，１５とを含む。端側面１２および端側面１３は、バイポーラ電池３の長手方向Ｌに配列しており、長側面１４および長側面１５は、バイポーラ電池３の幅方向Ｗに配列している。
【００２７】
送風機４およびジャンクションボックス６は、バイポーラ電池３の端側面１２側に設けられている。ジャンクションボックス６は、送風機４およびバイポーラ電池３の間に配置されている。
【００２８】
送風機４は、中空状のケース８と、ケース８内に収容されたファン９とを含む。ケース８には、吸気口８ａおよび供給口８ｂが形成されている。供給口８ｂはバイポーラ電池３の端側面１２に向けて開口している。
【００２９】
冷却ダクト５の一端は送風機４の供給口８ｂに接続されており、冷却ダクト５の他端はバイポーラ電池３の端側面１２に接続されている。なお、供給口８ｂは、ジャンクションボックス６よりも上方に位置しており、冷却ダクト５は、ジャンクションボックス６の上方を通って、バイポーラ電池３に接続されている。
【００３０】
そして、ファン９が駆動することで、吸気口８ａから空気が吸入され、供給口８ｂおよび冷却ダクト５を通して、冷却風がバイポーラ電池３内に供給される。
【００３１】
バイポーラ電池３の端側面１２には、電力端子１６および電力端子１７が設けられている。電力端子１６には電力配線１８が接続されており、電力端子１７には電力配線１９が接続されている。電力配線１８，１９は、ジャンクションボックス６に接続されている。
【００３２】
監視ユニット７は、バイポーラ電池３の端側面１３側に配置されており、監視ユニット７には、複数の配線２０が接続されている。
【００３３】
図２は、バイポーラ電池３を示す分解斜視図である。バイポーラ電池３は、蓄電スタック２５と、蓄電ケース２６と、絶縁部材２７，２８とを含む。
【００３４】
蓄電ケース２６は、蓄電スタック２５および絶縁部材２７，２８を内部に収容している。蓄電ケース２６は、底板３０と、天板３１と、端側板３２，３３と、長側板３４，３５とを含む。図１および図２において、底板３０は、バイポーラ電池３の下面１０に配置されており、天板３１は上面１１に配置されている。端側板３２，３３は、端側面１２，１３に配置されており、長側板３４，３５は、長側面１４，１５に配置されている。なお、底板３０、天板３１、端側板３２，３３および長側板３４，３５は、鉄などによって形成されている。
【００３５】
図２に戻って、端側板３２の側面には複数の開口部４０が形成されている。なお、複数の開口部４０のうち、最も長側板３４側に位置する開口部４０Ａには、図１に示す冷却ダクト５が挿入されている。端側板３３にも複数の開口部４１が形成されており、長側板３５にも複数の開口部４３が形成されている。長側板３４には、１つの開口部４２が形成されており、この開口部４２は、端側板３３の近傍に形成されている。
【００３６】
底板３０および天板３１は板状に形成されている。底板３０および天板３１は、複数のボルト４５，４６によって、端側板３２，３３および長側板３４，３５に固定されている。
【００３７】
絶縁部材２７は、底板３０の上面に設けられており、絶縁部材２８は、天板３１の下面に設けられている。蓄電スタック２５は、絶縁部材２７および絶縁部材２８の間に配置されており、絶縁部材２７，２８によって、蓄電スタック２５と、底板３０および天板３１との間の絶縁性が確保されている。
【００３８】
蓄電スタック２５は、略直方体形状に形成されている。蓄電スタック２５は、下面６０と、上面６１と、端側面６２，６３と、長側面６４，６５とを含む。電力端子１６，１７は、端側面６２に形成されている。
【００３９】
図３は、蓄電スタック２５を示す分解斜視図であり、図４は、蓄電スタック２５を示す側面図である。蓄電スタック２５は、集電板５５，５６と、複数の蓄電ユニット５７と、複数の冷却板５８とを含む。
【００４０】
集電板５５は、蓄電スタック２５の下面６０に配置されており、集電板５６は、蓄電スタック２５の上面６１に配置されている。集電板５５および集電板５６は、板状に形成されている。電力端子１６は、端側面６２側に位置する集電板５５の辺部に接続されている。電力端子１７は、集電板５６の外周辺のうち端側面６２側に位置する辺部に接続されている。
【００４１】
高さ方向Ｈに配列する複数の蓄電ユニット５７および冷却板５８が集電板５５および集電板５６の間に配置されている。
【００４２】
複数の蓄電ユニット５７が高さ方向（一方向）Ｈに間隔をあけて配列しており、各蓄電ユニット５７の間に冷却板５８が配置されている。さらに、冷却板５８は、集電板５５の上面に配置されると共に、集電板５６の下面に配置されている。冷却板５８は、アルミニウムや銅などの金属によって形成されており、高さ方向Ｈに隣り合う蓄電ユニット５７を電気的に直列に接続している。
【００４３】
蓄電スタック２５は、各蓄電ユニット５７の外周面に装着された枠体７６を備える。各枠体７６は、高さ方向Ｈに配列するように設けられている。
【００４４】
図５は、蓄電ユニット５７および冷却板５８を示す斜視図である。枠体７６は、厚肉部５０，５１と、薄肉部５２，５３とを含み、枠体７６は枠状に形成されている。
【００４５】
厚肉部５０は端側面６３側に配置されており、厚肉部５１は端側面６２側に配置されている。厚肉部５０および厚肉部５１は、幅方向Ｗに延びるように形成されている。
【００４６】
薄肉部５２は長側面６４側に配置されており、薄肉部５３は長側面６５側に配置されている。薄肉部５２は厚肉部５０の一端および厚肉部５１の一端を接続し、薄肉部５３は厚肉部５０の他端と厚肉部５１の他端を接続する。
【００４７】
薄肉部５２，５３の高さ方向Ｈの厚さは、厚肉部５０，５１の高さ方向Ｈの厚さよりも薄い。
【００４８】
このため、厚肉部５０および厚肉部５１と、薄肉部５２の上面とによって凹部６６が形成されており、厚肉部５０および厚肉部５１と、薄肉部５２の下面とによって凹部６７が形成されている。
【００４９】
厚肉部５０および厚肉部５１と、薄肉部５３の上面とによって凹部６８が形成されており、厚肉部５０および厚肉部５１と、薄肉部５３の下面とによって凹部６９が形成されている。
【００５０】
そして、蓄電ユニット５７の上面と、薄肉部５２の上面と、薄肉部５３の上面とは略面一となっており、蓄電ユニット５７の下面と、薄肉部５２の下面と、薄肉部５３の下面とは略面一となっている。
【００５１】
蓄電ユニット５７の上面側に配置される冷却板５８は、蓄電ユニット５７に接触しており、蓄電ユニット５７と電気的に接続されている。同様に、蓄電ユニット５７の下面側に配置される冷却板５８は、蓄電ユニット５７に接触しており、蓄電ユニット５７と電気的に接続されている。
【００５２】
ここで、枠体７６の外周面は、薄肉部５２の長側面７０と、薄肉部５３の長側面７１と、厚肉部５１の端側面７２と、厚肉部５０の端側面７３とを含む。
【００５３】
枠体７６は、圧力弁５９Ａ，５９Ｂが設けられている。圧力弁５９Ａ，５９Ｂは、蓄電ユニット５７内の内圧が高くなると、蓄電ユニット５７内のガスを外部に排出する。この図５に示す例においては、圧力弁５９Ａ，５９Ｂは、端側面７２に設けられているが、端側面７３に設けられていてもよい。なお、端側面７２，７３は、後述するように、送風機４からの冷却風が直接噴き付けられる面ではなく、圧力弁５９Ａ，５９Ｂは、冷却風が直接噴き付けられる面と異なる面に設けられている。
【００５４】
長側面７０には、幅方向Ｗに向けて突出する張出部２００が形成されており、長側面７１にも張出部２０１が形成されている。
【００５５】
図６は、蓄電ユニット５７および枠体７６を示す断面図であり、枠体７６の薄肉部５２側における断面図である。
【００５６】
蓄電ユニット５７は、複数のバイポーラ電極板７５と、複数のセパレータ８３とを含む。バイポーラ電極板７５は、高さ方向Ｈに間隔をあけて配置されており、各バイポーラ電極板７５の間にセパレータ８３が配置されている。
【００５７】
各バイポーラ電極板７５は、電極板７７と、正極層７８と、負極層７９とを含む。電極板７７は、ニッケルなどの金属材料によって形成されている。負極層７９は負極活物質を含み、負極活物質としては水素吸着合金などが採用される。正極層７８は、正極活物質を含み、正極活物質としては、水酸化ニッケルなどが採用される。電極板７７の外周縁部８０は、正極層７８および負極層７９が形成されていない未塗布部とされている。
【００５８】
枠体７６は、枠体８１および枠体８２を含む。枠体８１は、電極板７７の外周縁部８０を覆うように形成されており、枠体８１は外周縁部８０に沿って環状に形成されている。
【００５９】
セパレータ８３は、シート状に形成されている。セパレータ８３は、たとえば、ポリオレフィン系樹脂から形成された多孔質フィルム等からなる織布および不織布等から形成されている。
【００６０】
枠体８１は、各電極板７７に設けられており、複数の枠体８１が高さ方向Ｈに配列している。そして、枠体８２は、蓄電ユニット５７の上端側に位置する枠体８１に係合すると共に、蓄電ユニット５７の下端側に位置する枠体８１に係合している。さらに、枠体８２は、積層された枠体８１の周面を覆うように形成されている。
【００６１】
薄肉部５２には張出部２００が形成されており、張出部２００は水平方向に突出するように形成されている。張出部２００は、図５に示すように、長側面７０の一端から他端に亘って延びるように形成されている。
【００６２】
そして、張出部２００は、傾斜面２０２と、傾斜面２０３とを含み、上下方向の中央部に形成された頂辺２０４とを含む。
【００６３】
頂辺２０４は、水平方向において、電極板７７の外周縁部８０から水平方向に最も離れている。
【００６４】
傾斜面２０２は、頂辺２０４より上方に位置しており、傾斜面２０３は、頂辺２０４よりも下方に位置している。
【００６５】
傾斜面２０２は、張出部２００の上面側から下方に向かうにつれて、水平方向であって電極板７７の外周縁部８０から離れるように傾斜している。そして、傾斜面２０２の下辺において、頂辺２０４に接続されている。
【００６６】
傾斜面２０３の上辺は、頂辺２０４に接続されており、傾斜面２０３は、頂辺２０４から下方に向かうにつれて、電極板７７の外周縁部８０に近づくように傾斜している。なお、図５に示す張出部２０１も張出部２００と同様に形成されている。
【００６７】
上記のように構成された蓄電ユニット５７において、高さ方向Ｈに隣り合う電極板７７と、枠体８１とによって、収容空間８４が形成されている。
【００６８】
この収容空間８４内には、セパレータ８３と、正極層７８と、負極層７９と、図示されていない電解液が配置されている。電解液はたとえば、水酸化カリウム水溶液などのアルカリ溶液などである。
【００６９】
そして、セパレータ８３と、負極層７９と、正極層７８と、電解液とによって蓄電セル８５が形成されている。蓄電セル８５は、高さ方向Ｈに複数配列しており、各蓄電セル８５は、電極板７７によって直列に接続されている。
【００７０】
そして、高さ方向Ｈの蓄電ユニット５７の上面側には、電極板７７Ａが配置されており、蓄電ユニット５７の下面側には、電極板７７Ｂが配置されている。
【００７１】
図７は、冷却板５８を示す分解斜視図である。冷却板５８は、天板９１と、底板９２と、弾性板９３とを含む。そして、天板９１は、板部９５と、側板９６と、側板９７とを含む。底板９２は、板部１１０と、側板１１１と、側板１１２とを含む。
【００７２】
そして、天板９１と底板９２との間に弾性板９３が配置されることで、図８に示すように、冷却板５８が形成されている。
【００７３】
図７および図８に示すように、冷却板５８内には、冷却通路８８が形成されており、冷却板５８の両端には、開口部が形成されている。
【００７４】
図９は、蓄電スタック２５の一部を示す断面図であり、幅方向Ｗに延びる方向における断面における断面図である。
【００７５】
この図９において、上方から下方に向けて、枠体７６Ａ，７６Ｂ，７６Ｃ，６７Ｄが順次配列している。そして、長側面６４側において、張出部２００Ａ，２００Ｂ，２００Ｃ，２００Ｄが順次配列している。長側面６５側において、張出部２０１Ａ，２０１Ｂ，２０１Ｃ，２０１Ｄが順次配列している。
【００７６】
張出部２００Ａおよび張出部２００Ｂの間には供給口２０５Ａが形成されており、張出部２００Ｂおよび張出部２００Ｃの間には、供給口２０５Ｂが形成されている。同様に、張出部２００Ｃ，２００Ｄの間には、供給口２０５Ｃが形成されている。
【００７７】
そして、供給口２０５Ａ，２０５Ｂ，２０５Ｃは、それぞれ、冷却板５８Ａ，５８Ｂ，５８Ｃの一方端に形成された開口部に接続されている。
【００７８】
長側面６５側において、張出部２０１Ａ，２０１Ｂ，２０１Ｃ，２０１Ｄが上方から下方に向けて順次配列している。張出部２０１Ａ，２０１Ｂの間には、排気口２０６Ａが形成されており、張出部２０１Ｂ，２０１Ｃの間には、排気口２０６Ｂが形成されている。そして、張出部２０１Ｃおよび２０１Ｄの間には、排気口２０６Ｃが形成されている。
【００７９】
排気口２０６Ａ，２０６Ｂ，２０６Ｃは、冷却板５８Ａ，５８Ｂ，５８Ｃの他端に形成された開口部に接続されている。
【００８０】
図１０は、長手方向Ｌにおける断面図である。蓄電スタック２５の端側面６３側において、枠体７６Ａの厚肉部５０Ａと、枠体７６Ｂの厚肉部５０Ｂと、枠体７６Ｃの厚肉部５０Ｃと、枠体７６Ｄの厚肉部５０Ｄとが順次配列している。同様に、端側面６２側においても、５１Ａと、厚肉部５１Ｂと、厚肉部５１Ｃと、厚肉部５１Ｄとが順次配列している。
【００８１】
そして、厚肉部５０Ａおよび厚肉部５０Ｂの間には、シール２１０Ａが挟み込まれており、水などの異物が厚肉部５０Ａおよび厚肉部５０Ｂの間から入り込むことが抑制されている。同様に、厚肉部５０Ｂ，５０Ｃの間には、シール２１０Ｂが挟み込まれており、厚肉部５０Ｃおよび厚肉部５０Ｄの間にはシール２１０Ｃが挟み込まれている。
【００８２】
また、厚肉部５１Ａおよび厚肉部５１Ｂの間には、シール２１１Ａが挟み込まれている。厚肉部５１Ｂおよび厚肉部５１Ｃの間には、シール２１１Ｂが挟み込まれている。同様に、厚肉部５１Ｃおよび厚肉部５１Ｄの間にもシール２１１Ｃが挟み込まれている。
【００８３】
このように、蓄電スタック２５の端側面６３および長側面６４は、各枠体７６の間にシールを挟み込むことによって、蓄電スタック２５内に異物が入り込むことが抑制されている。
【００８４】
図１１は、組電池１を示す平断面図である。冷却ダクト５は、端側板３２に形成された開口部４０Ａに挿入されている。
【００８５】
そして、蓄電スタック２５の長側面６４と、長側板３４の内表面との間に形成された通風路９０に、冷却ダクト５からの冷却風Ｃが供給されている。
【００８６】
通風路９０内に供給された冷却風Ｃは、長側面６４側に位置する冷却板５８の開口部から冷却板５８内に入り込む。そして、冷却板５８の冷却通路８８内を通り、冷却板５８を冷却し、長側面６５側に位置する冷却板５８の開口部から排気される。
【００８７】
この際、図９において、各冷却板５８Ａ，５８Ｂ，５８Ｃが冷却されることで、冷却板５８Ａ，５８Ｂ，５８Ｃと接触している蓄電ユニット５７Ａ，５７Ｂ，５７Ｃ，５７Ｄを冷却することができる。
【００８８】
さらに、長側面６４側から供給される冷却風Ｃが、たとえば、供給口２０５Ａに入り込む際には、傾斜面２０３Ａおよび傾斜面２０２Ｂによって、冷却板５８Ａの開口部に案内される。そのため、冷却板５８Ａの開口部に冷却風Ｃが供給される際に生じる圧損を低減することができ、冷却風Ｃが良好に冷却板５８Ａ内に入り込むことができる。なお、他の冷却板５８Ｂ，５８Ｃにおいても、同様の効果を得ることができる。
【００８９】
上記のように構成された組電池１において、組電池１の周囲の温度が低くなることで、組電池１の表面に水滴が付着することがある。
【００９０】
この際、図９において、たとえば、長側面６４側において、冷却板５８Ａに付着した水滴が付着し、その後、滴り落ちることがある。
【００９１】
この際、水滴は、傾斜面２０２Ｂの表面を流れ、その後、たとえば、頂辺２０４Ｂから下方に滴下する。
【００９２】
この際、仮に、頂辺２０４Ｂに達した水滴が傾斜面２０３Ｂを伝って、冷却板５８Ｂに近づこうとする場合がある。
【００９３】
しかし、傾斜面２０３Ｂは、下方に向いているため、水滴は傾斜面２０３Ｂを流れ難く、下方に滴下しやすい。さらに、傾斜面２０３Ｂから冷却板５８Ｂまでの距離が長く、当該水滴が冷却板５８Ｂに達することが抑制されている。
【００９４】
その結果、水滴が流れることで、冷却板５８Ａおよび冷却板５８Ｂとが当該水によって導通することを抑制することができる。
【００９５】
また、仮に、蓄電ユニット５７Ａから電解液が外部に漏れて、電解液が張出部２００Ａおよび張出部２００Ｂの間から滴り落ちても、当該電解液が冷却板５８Ｂに達することを抑制することができる。
【００９６】
上記の実施の形態においては、張出部２００，２０１を用いて、水や電解液によって、冷却板５８同士が導通することを抑制しているが、張出部２００，２０１の形状としては、各種の形状を採用することができる。
【００９７】
図１２は、蓄電スタック２５の第１変形例に係る蓄電スタック２５Ａを示す断面図である。この蓄電スタック２５Ａにおいては、張出部２００に替えて、傾斜部２２０が設けられており、蓄電スタック２５Ａは、枠体７６の長側面７０に形成された傾斜部２２０を含む。
【００９８】
傾斜部２２０は、枠体７６の長側面７０の上辺に接続されている。傾斜部２２０は枠体７６の上辺から下方に向かうにつれて、蓄電ユニット５７から水平方向に離れるように傾斜している。
【００９９】
このように形成された傾斜部２２０の上面を水や電解液を流れた際においても、傾斜部２２０の先端部から水や電解液が下方に滴り落ちやすい。このため、たとえば、冷却板５８同士が水や電解液によって導通することを抑制することができる。
【０１００】
図１３は、第２変形例に係る蓄電スタック２５Ｂを示す断面図である。蓄電スタック２５Ｂは、張出部２００に替えて、庇部２２１を備える。
【０１０１】
庇部２２１は、各枠体７６の長側面７０に設けられている。庇部２２１は、上壁２２２と、縦壁２２３とを含む。上壁２２２は、長側面７０の上辺に接続されており、水平方向に延びるように形成されている。縦壁２２３は、上壁２２２の端辺から下方に延びるように形成されている。
【０１０２】
このように形成された庇部２２１においても、水や電解液によって冷却板５８同士が電気的に導通することを抑制することができる。
【０１０３】
図１４は、第３変形例に係る蓄電スタック２５Ｃを示す断面図である。
蓄電スタック２５Ｃは、張出部２００に替えて、樋２３０が枠体７６の長側面７０に設けられている。
【０１０４】
なお、樋２３０は長側面７０の端部側において開放されており、水や電解液が下方にたれ落ちるように形成されている。上記のように構成された樋２３０によっても、水や電解液によって、冷却板５８同士が電気的に導通するようになることを抑制することができる。
【０１０５】
図１５は、第４変形例に係る蓄電スタック２５Ｄを示す断面図である。蓄電スタック２５Ｄは張出部２００に替えて張出部２４０が設けられている。図１５に示すように、張出部２４０は、中空状に形成されており、張出部２４０の表面は、凹凸状に形成されている。
【０１０６】
この張出部２４０においても、上下方向の中央部が最も水平方向の外方に突出しており、水や電解液が上下に隣り合う冷却板５８に達することを抑制している。
【０１０７】
また、図１６は、第５変形例を示す断面図であり、蓄電スタック２５Ｅに設けられた張出部２５０は、枠体７６とは別体であり、たとえば、接着剤や固定部材などによって枠体７６に取り付けられている。
【０１０８】
図１７は、第６変形例に係る蓄電スタック２５Ｅに設けられた枠体７６Ｅおよび蓄電ユニット５７Ｅを示す斜視図である。
【０１０９】
蓄電ユニット５７Ｅは、圧力弁５９Ａ，５９Ｂを含み、圧力弁５９Ａ，５９Ｂは、枠体７６Ｅの端側面７２に設けられている。
【０１１０】
図１８は、圧力弁５９Ａ，５９Ｂを示す斜視図であり、図１９は、圧力弁５９Ａ，５９Ｂを示す分解斜視図である。
【０１１１】
枠体７６Ｅの端側面７２の下辺には、切欠部２６０，２６１が形成されており、切欠部２６０および切欠部２６１は、間隔をあけて形成されている。
【０１１２】
このため、枠体７６Ｅの端側面７２には、突出部２６２，２６３，２６４が形成されている。突出部２６２は、端側面７２の下辺の一端側に形成されており、突出部２６３は、端側面７２の下辺の中央に形成されている。そして、突出部２６４は、端側面７２の下辺の他端側に形成されている。
【０１１３】
圧力弁５９Ａは、蓋３００Ａと、弁本体３０１Ａと、土台３０２Ａとを含む。圧力弁５９Ｂは、蓋３００Ｂと、弁本体３０１Ｂと、土台３０２Ｂとを含む。
【０１１４】
ここで、圧力弁５９Ｂは実質的に圧力弁５９Ａと同様に構成されている。そこで、主に、圧力弁５９Ａの構成について説明する。
【０１１５】
土台３０２Ａは、端側面７２に形成されており、土台３０２Ａは、格子３０３Ａおよび格子３０４Ａと、案内突起３１２Ａと、案内突起３１３Ａとを含む。
【０１１６】
案内突起３１２Ａは、土台３０２Ａの一端に形成されており、案内突起３１３Ａは土台３０２Ａの他端に形成されている。
【０１１７】
案内突起３１２Ａは、突出部２６２の表面に形成されており、格子３０３Ａから離れるにつれて、下方に向かうように延びるように形成されている。
【０１１８】
案内突起３１３Ａは、突出部２６３の表面に形成されており、格子３０４Ａから離れるにつれて、下方に傾斜するように形成されている。
【０１１９】
格子３０３Ａは格子状に形成されており、格子３０３Ａには複数の区画部３０５Ａが形成されている。同様に、格子３０４Ａには、複数の区画部３０６Ａが形成されている。端側面７２のうち、区画部３０５Ａから露出する部分には、通気口３１０Ａが形成されており、区画部３０６Ａから露出する部分には、通気口３１１Ａが形成されている。通気口３１０Ａ，３１１Ａは、蓄電ユニット５７Ｅの内部と連通している。
【０１２０】
弁本体３０１Ａは、外周壁３１５Ａと、複数の筒部３１６Ａ，３１７Ａとを含む。外周壁３１５Ａは環状に形成されており、外周壁３１５Ａは格子３０３Ａ，３０４Ａに取り付けられている。筒部３１６Ａは通気口３１０Ａと連通しており、筒部３１７Ａは通気口３１１Ａと連通している。
【０１２１】
蓋３００Ａは、外周壁３１５Ａの開口部を閉塞するように設けられている。蓋３００Ａには、貫通孔３１９Ａが形成されている。貫通孔３１９Ａは、筒部３１６Ａ，３１７Ａと連通するように形成されている。そして、筒部３１６Ａ，３１７Ａ内には、図示されていない弁が設けられている。
【０１２２】
図２０は、図１０に示すＸＸ−ＸＸ線における断面図である。外周壁３１５Ａの背面には、格子３０３Ａと当接する当接突起３２０が形成されている。
【０１２３】
そして、外周壁３１５Ａと、土台３０２Ａとによって、外周壁３１５Ａの上面には、溝３２１Ａが形成されている。
【０１２４】
図１８において、溝３２１Ａは、圧力弁５９Ａの一端から他端に亘って延びるように形成されている。
【０１２５】
ここで、蓄電スタック２５Ｅに水滴が付着して、水滴が蓄電スタック２５Ｅの表面を流れ落ちる場合がある。この際、たとえば、図１８に示す枠体７６Ｅよりも上方から水滴が流れ落ちたとする。この際、当該水滴は、溝３２１Ａに入り込み、溝３２１Ａ内を流れ、圧力弁５９Ａの両端に向けて流れる。
【０１２６】
図１９において、土台３０２Ａの一端には、案内突起３１２Ａが形成されており、土台３０２Ａの他端には、案内突起３１３Ａが形成されている。
【０１２７】
そして、溝３２１Ａ内を流れた水などは、土台３０２Ａの一端側において、突出部２６２の表面に沿って流れ落ちる。この際、案内突起３１２Ａは、切欠部２６０側に水などが入り込むことを抑制する。これにより、たとえば、切欠部２６０から露出する蓄電ユニットに水が付着することを抑制することができる。
【０１２８】
同様に、土台３０２Ａの他端側において、水などは端側面７２の表面に沿って下方に流れ落ちる。この際、案内突起３１３Ａによって、当該水などが切欠部２６０側に向かうことを抑制する。これにより、切欠部２６０から露出する蓄電ユニットに水などが付着することを抑制することができる。
【０１２９】
なお、圧力弁５９Ａについて説明したが、圧力弁５９Ｂも圧力弁５９Ａと同様に構成されており、圧力弁５９Ｂも圧力弁５９Ａと同様の効果を奏する。
【０１３０】
（実施の形態２）
図２１などを用いて、本実施の形態２に係る蓄電装置５００について説明する。図２１は、蓄電装置５００を模式的に示す分解斜視図である。蓄電装置５００は、上記実施の形態１の組電池に相当する。
【０１３１】
蓄電装置５００は、拘束具５０１と、複数の蓄電ユニット５０２と、複数の集電板５０３と、絶縁板５０４，５０５とを含む。
【０１３２】
拘束具５０１は、天板５１０と、底板５１１と、複数の柱５１２とを含む。天板５１０および底板５１１の間に、複数の蓄電ユニット５０２と、複数の集電板５０３と、絶縁板５０４，５０５とが配置されている。柱５１２の上端部は天板５１０に固定されており、柱５１２の下端部は、底板５１１に固定されている。絶縁板５０４は、天板５１０の下面に配置されており、絶縁板５０５は、底板５１１の上面に配置されている。
【０１３３】
複数の蓄電ユニット５０２および複数の集電板５０３とは、上下方向に交互になるように配置されている。複数の蓄電ユニット５０２および複数の集電板５０３は、絶縁板５０４および絶縁板５０５の間に配置されている。なお、絶縁板５０４の下面には、集電板５０３が配置されており、この集電板５０３には図示されていない集電端子が設けられている。また、絶縁板５０５の上面にも、集電板５０３が配置されており、この集電板５０３にも集電端子が設けられている。
【０１３４】
各集電板５０３は、金属材料によって構成されており、上下方向に隣り合う蓄電ユニット５０２を電気的に直列に接続している。各集電板５０３には、複数の冷却通路が形成されており、冷却通路内を冷却風が通ることで、各集電板５０３が冷却される。集電板５０３が冷却されることで、上下方向に隣り合う蓄電ユニット５０２が冷却される。
【０１３５】
図２２は、蓄電ユニット５０２を示す斜視図である。蓄電ユニット５０２は、薄型の直方体形状に形成されている。蓄電ユニット５０２は、上面５２０と、下面５２１と、長側面５２２,５２３と、端側面５２４,５２５とを含む。蓄電ユニット５０２は、シール部材５３０と、終端電極板５３１，５３２と、庇５４４，５４５とを含む。
【０１３６】
シール部材５３０は樹脂によって形成されており、シール部材５３０は環状に形成されている。シール部材５３０は、長壁部５４０，５４１と、端壁部５４２，５４３とを含む。長壁部５４０，５４１は、長側面５２２,５２３を形成しており、端壁部５４２，５４３は、端側面５２４,５２５を形成している。庇５４４は長壁部５４０に形成されており、庇５４５は長壁部５４１に形成されている。なお、庇５４４，５４５の具体的な構成については後述する。
【０１３７】
終端電極板５３１は上面５２０に配置されており、終端電極板５３２は下面５２１に配置されている。終端電極板５３１，５３２は、金属材料によって形成されている。なお、シール部材５３０は、終端電極板５３１，５３２の外周縁部に沿って環状に伸びており、終端電極板５３１の上面および終端電極板５３２の下面はシール部材５３０から露出している。そして、終端電極板５３１の上面および終端電極板５３２の下面には、図２１に示す集電板５０３が配置されている。
【０１３８】
終端電極板５３１，５３２と、複数のバイポーラ電極と、シール部材５３０とによって、蓄電ユニット５０２内に、電解液を収容するための複数の収容空間５３５が形成されている。バイポーラ電極は、集電箔と、集電箔の一方面に形成された正極層と、集電箔の他方面に形成された負極層とを含む。終端電極板５３１は、集電箔と、集電箔の一方面に形成された負極層とを含む。終端電極板５３２は、集電箔と、集電箔の一方面に形成された正極層とを含む。バイポーラ電極は、セパレータを介して積層されている。セパレータを介して隣り合う２つのバイポーラ電極は、一方のバイポーラ電極の正極層が他方のバイポーラ電極の負極層に対向するように積層されている。バイポーラ電極の積層方向における一端部には、セパレータを介して終端電極板５３１が配置されている。終端電極板５３１に設けられた負極層はセパレータを介して隣り合うバイポーラ電極の正極層に対向している。バイポーラ電極の積層方向における他端部には、セパレータを介して終端電極板５３２が配置されている。終端電極板５３２に設けられた正極層はセパレータを介して隣り合うバイポーラ電極の負極層に対向している。
【０１３９】
集電箔は金属材料によって形成されており、板状に形成されている。正極層は集電箔の上面または下面の一方の面に形成されており、負極層は集電箔の他方の面に形成されている。
【０１４０】
セパレータを介して積層された複数のバイポーラ電極および終端電極板５３１、５３２を含む蓄電ユニット５０２は、換言すれば、隣り合う２つの集電箔の間に、セパレータと、セパレータの一方の面に配置された正極層と、セパレータの他方の面に配置された負極層とが配置され、これによって単位電池が形成されている。各単位電池は、電極層を保持する集電箔を介して電気的に直列に接続されている。
【０１４１】
そして、各収容空間には、電解液が収容されている。シール部材５３０は、複数の単位電池のそれぞれにおいて、収容空間に収容された電解液が単位電池外に漏れ出るのを防止する封止部材として機能すると共に、蓄電ユニット５０２の形状を保持する保持部材（ケース）としても機能する。
【０１４２】
図２３は、庇５４４の一部およびその周囲の構成を示す斜視図であり、図２４は、庇５４４を示す断面図である。庇５４４は、長壁部５４０の外周面から突出するように形成されている。
【０１４３】
庇５４４は、傾斜部分５５０と、垂下部分５５１と、頂部５５２と、複数の補強リブ５５３とを含む。傾斜部分５５０は長壁部５４０が延びる方向に長尺に形成されており、傾斜部分５５０は、蓄電装置５００の幅方向Ｗに長尺に形成されている。傾斜部分５５０は、長壁部５４０の外周面から水平方向に離れるにつれて、下方に向けて延びるように形成されている。このため、傾斜部分５５０の上面５５４は、長壁部５４０の外周面から水平方向に離れるにつれて、下方に向けて延びる傾斜面となっている。上面５５４は、長壁部５４０が延びる方向に長尺に形成されている。
【０１４４】
図２４において、仮想平面Ｐ１，Ｐ２は、水平方向に延びる仮想平面である。交差角度α１は、仮想平面Ｐ１に対する上面５５４の交差角度を示す。たとえば、交差角度α１は、２２度程度である。
【０１４５】
垂下部分５５１は、傾斜部分５５０の下端部から下方に向けて延びるように形成されている。交差角度α２は、傾斜部分５５０の外側面と、仮想平面Ｐ２との交差角度を示し、交差角度α２は、交差角度α１よりも大きい。
【０１４６】
このため、垂下部分５５１は傾斜部分５５０に対して折れ曲がるように形成されており、傾斜部分５５０および垂下部分５５１の接続部分には、頂部５５２が形成されている。なお、図２４などに示す例においては、頂部５５２は角状に形成されているが、湾曲面状に形成されていてもよい。
【０１４７】
複数の補強リブ５５３は、庇５４４が延びる方向に間隔をあけて形成されている。各補強リブ５５３は、傾斜部分５５０の上面５５４よりも上方に突出するように形成されている。複数の補強リブ５５３が庇５４４に設けられているため、庇５４４の剛性が高く、庇５４４が変形することが抑制されている。
【０１４８】
図２５は、蓄電装置５００の一部を示す断面図である。この図２５においては、蓄電ユニット５０２Ａ，５０２Ｂ，５０２Ｃと、集電板５０３Ａ，５０３Ｂ，５０３Ｃとが図示されている。集電板５０３Ａは蓄電ユニット５０２Ａの上面に配置されており、蓄電ユニット５０２Ｂは集電板５０３Ａの上面に配置されている。集電板５０３Ｂは蓄電ユニット５０２Ｂの上面に配置されており、蓄電ユニット５０２Ｃは集電板５０３Ｂの上面に配置されている。集電板５０３Ｃは、蓄電ユニット５０２Ｃの上面に配置されている。
【０１４９】
集電板５０３Ａは蓄電ユニット５０２Ａと蓄電ユニット５０２Ｂを電気的に直列に接続しており、集電板５０３Ｂは蓄電ユニット５０２Ｂおよび蓄電ユニット５０２Ｃを電気的に直列に接続している。各集電板５０３Ａ，５０３Ｂ，５０３Ｃには、冷却通路５５６Ａ，５５６Ｂ，５５６Ｃが形成されている。
【０１５０】
蓄電ユニット５０２Ａはシール部材５３０Ａを含み、蓄電ユニット５０２Ｂはシール部材５３０Ｂを含む。同様に、蓄電ユニット５０２Ｃはシール部材５３０Ｃを含む。
【０１５１】
ここで、シール部材５３０Ａの長壁部５４０Ａと、シール部材５３０Ｂの長壁部５４０Ｂとは、上下方向に間隔をあけて配置されており、長壁部５４０Ａおよび長壁部５４０Ｂの間には、隙間５６０Ａが形成されている。シール部材５３０Ｂの長壁部５４０Ｂと、シール部材５３０Ｃの長壁部５４０Ｃとは、上下方向に間隔をあけて配置されており、長壁部５４０Ｂおよび長壁部５４０Ｃの間には、隙間５６０Ｂが形成されている。
【０１５２】
隙間５６０Ａは冷却通路５５６Ａに連通しており、隙間５６０Ｂは冷却通路５５６Ｂに連通している。そして、冷却風は、隙間５６０Ａ，５６０Ｂから冷却通路５５６Ａ，５５６Ｂ内に入り込み、集電板５０３Ａ，５０３Ｂを冷却する。
【０１５３】
上記のように構成された蓄電装置５００において、蓄電装置５００の雰囲気温度の変化によって、隙間５６０Ｂ内などに水が溜まる場合がある。また、蓄電ユニット５０２Ｂから電解液が漏れ、隙間５６０Ｂ内に電解液が溜まる場合がある。図２５において、液体Ｌは水や電解液などを示す。
【０１５４】
液体Ｌは、隙間５６０Ｂから庇５４４Ｂの上面５５４Ｂにたれ落ちている。そして、液体Ｌは上面５５４Ｂをたれ落ち、液体Ｌは頂部５５２Ｂに達している。上面５５４Ｂは、長壁部５４０Ｂから離れるように傾斜しており、液体Ｌは、水平方向において隙間５６０Ａから離れるように移動する。
【０１５５】
頂部５５２Ｂにおいて、液体Ｌの一部である液体Ｌ１は庇５４４Ｂから離れるように移動する。このように、頂部５５２Ｂから離れるように移動した液体Ｌ１は、隙間５６０Ａから離れる方向に移動する。
【０１５６】
その一方で、液体Ｌ２は、垂下部分５５１Ｂの外側面をたれ落ちる。垂下部分５５１Ｂの下方には、庇５４４Ａの傾斜部分５５０Ａが位置しており、液体Ｌ２は、傾斜部分５５０Ａの上面５５４Ａ上をたれ落ちる。このように、液体Ｌ２においても、隙間５６０Ａから離れるように移動する。このように、隙間５６０Ｂからたれ落ちた液体Ｌが、隙間５６０Ａ内に入り込むことが抑制されている。
【０１５７】
ここで、仮に、庇などが設けられていない場合には、隙間５６０Ｂからたれ落ちた液体Ｌが隙間５６０Ａ内に入り込み、液体Ｌを通して、集電板５０３Ａおよび集電板５０３が電気的に導通してしまう、所謂、トラッキング現象が発生するおそれがある。その一方で、本実施の形態２に係る蓄電装置５００によれば、上記のような弊害が生じることを抑制することができる。また、庇５４４Ｂにおける垂下部分５５１Ｂの先端は隙間５６０Ａに達しない長さに形成されている。これにより、庇５４４が冷却風の冷却通路５５６への流通を阻害することを抑制することができる。
【０１５８】
図２３において、庇５４４には、複数の補強リブ５５３が形成されると共に、庇５４４の端部に補強リブ５５３が形成されている。これにより、蓄電装置５００が左右方向に傾斜したとしても、液体Ｌが庇５４４の端部に設けられた補強リブ５５３を乗り越えて蓄電ユニット５０２の左右方向にたれ落ちることが抑制されている。
【０１５９】
今回開示された実施の形態はすべての点で例示であって制限的なものではないと考えられるべきである。本発明の範囲は請求の範囲によって示され、請求の範囲と均等の意味および範囲内でのすべての変更が含まれることが意図される。
【符号の説明】
【０１６０】
１  組電池、２  ベース板、３  バイポーラ電池、４  送風機、５  冷却ダクト、６  ジャンクションボックス、７  監視ユニット、８  ケース、８ａ  吸気口、８ｂ，２０５Ａ，２０５Ｂ，２０５Ｃ  供給口、９  ファン、１０，６０  下面、１１，６１  上面、１２，１３，６２，６３，７２，７３  端側面、１４，１５，６４，６５，７０，７１  長側面、１６，１７  電力端子、１８，１９  電力配線、２０  配線、２５，２５Ａ，２５Ｂ，２５Ｃ，２５Ｄ，２５Ｅ  蓄電スタック、２６  蓄電ケース、２７，２８  絶縁部材、３０，９２  底板、３１，９１  天板、３２，３３  端側板、３４，３５  長側板、４０，４０Ａ，４１，４２，４３  開口部、４５，４６  ボルト、５０，５０Ａ，５０Ｂ，５０Ｃ，５０Ｄ，５１，５１Ａ，５１Ｂ，５１Ｃ，５１Ｄ  厚肉部、５２，５３  薄肉部、５５，５６  集電板、５７，５７Ａ，５７Ｂ，５７Ｃ，５７Ｄ  蓄電ユニット、５８，５８Ａ，５８Ｂ，５８Ｃ  冷却板、６６，６７，６８，６９  凹部、６７Ｄ，７６，７６Ａ，７６Ｂ，７６Ｃ，７６Ｄ，８１，８２  枠体、７５，７７，７７Ａ，７７Ｂ  電極板、７８  正極層、７９  負極層、８０  外周縁部、８３  セパレータ、８４  収容空間、８５  蓄電セル、８８  冷却通路、９０  通風路、９３  弾性板、９５，１１０  板部、９６，９７，１１１，１１２  側板、１００  フロアパネル、２００，２００Ａ，２００Ｂ，２００Ｃ，２００Ｄ，２０１，２０１Ａ，２０１Ｂ，２０１Ｃ，２０１Ｄ，２４０，２５０  張出部、２０２，２０２Ｂ，２０３，２０３Ａ，２０３Ｂ  傾斜面、２０４，２０４Ｂ  頂辺、２０６Ａ，２０６Ｂ，２０６Ｃ  排気口、２１０Ａ，２１０Ｂ，２１０Ｃ，２１１Ａ，２１１Ｂ，２１１Ｃ  シール、２２０  傾斜部、２２１  庇部、２２２  上壁、２２３  縦壁、２３０  樋。
【図１】
2020138110.tif 000003
【図２】
2020138110.tif 000004
【図３】
2020138110.tif 000005
【図４】
2020138110.tif 000006
【図５】
2020138110.tif 000007
【図６】
2020138110.tif 000008
【図７】
2020138110.tif 000009
【図８】
2020138110.tif 000010
【図９】
2020138110.tif 000011
【図１０】
2020138110.tif 000012
【図１１】
2020138110.tif 000013
【図１２】
2020138110.tif 000014
【図１３】
2020138110.tif 000015
【図１４】
2020138110.tif 000016
【図１５】
2020138110.tif 000017
【図１６】
2020138110.tif 000018
【図１７】
2020138110.tif 000019
【図１８】
2020138110.tif 000020
【図１９】
2020138110.tif 000021
【図２０】
2020138110.tif 000022
【図２１】
2020138110.tif 000023
【図２２】
2020138110.tif 000024
【図２３】
2020138110.tif 000025
【図２４】
2020138110.tif 000026
【図２５】
2020138110.tif 000027
【国際調査報告】
2020138110.tif 000028
2020138110.tif 000029
2020138110.tif 000030
2020138110.tif 000031